(57)【要約】      （修正有）【課題】望ましくないエアロゾル効果の発生を回避し、流体を、容器からカートリッジ式のレセプタクル内へダイレクトに分配する。【解決手段】レセプタクル７０は、開口７２および内部床７４を含む。流体ディスペンサ１０は２つの端部を有する。第１端部は、封止体を貫通して、容器の内部と外部との間の流体連絡を確立する。第２端部３０は、レセプタクル７０内で開口７２と連結される。レセプタクル７０と容器を互いに接近するよう相対移動させると、流体は、容器からディスペンサ１０を通り、ダイレクトにレセプタクル７０内へ分配される。ディスペンサ１０の第２端部３０が、内部床７４と接触することを防ぎ、これにより、レセプタクル７０から流体が不用意に引き戻されることを防止する。【選択図】図３
2013011577.tif 000002
【特許請求の範囲】
【請求項１】
封止体によって封止された開口端を有する容器から、流体を分配するためのシステムであって、
上記容器は、ある容積を有する内側チャンバを含み、かつそこに流体を収容していて、
上記システムは、
流体ディスペンサと、
開口および内部床を有するレセプタクルと、を備えており、
上記流体ディスペンサは、第１側および第２側を有する基部と、当該基部の第２側から延在して外部直径および先端を有する突出部と、を有していて、当該突出部を通って流路が延在しており、かつ当該突出部は、その先端がレセプタクルの上記内部床から所望の距離を保った状態で、レセプタクルの上記開口の中へ延在するよう構成されている、システム。
【請求項２】
上記突出部の先端を、レセプタクルの内部床から所望の距離を保った状態に維持する手段が設けられている、請求項１記載のシステム。
【請求項３】
上記突出部の外部直径およびレセプタクル内部の少なくとも一方が、上記突出部の先端を、レセプタクルの内部床から所望の距離を保った状態に維持するよう構成されている、請求項１または２記載のシステム。
【請求項４】
上記レセプタクルの内壁は、上記突出部の先端を、レセプタクルの内部床から所望の距離を保った状態に維持するよう先細りのテーパ状とされている、請求項１〜３のいずれか１つに記載のシステム。
【請求項５】
上記流体ディスペンサの基部の第２側がレセプタクルに当接して、上記突出部の先端を、レセプタクルの内部床から所望の距離を保った状態に維持する、請求項１〜４のいずれか１つに記載のシステム。
【請求項６】
上記突出部は、関連する長さＬｐを有し、
レセプタクルの上記開口は、レセプタクル内で関連する長さＬｄを有し、
ＬｐがＬｄよりも小さいことによって、上記突出部の先端を、レセプタクルの内部床から所望の距離を保った状態に維持する、請求項１〜５のいずれか１つに記載のシステム。
【請求項７】
上記レセプタクルは内部突起を有していて、当該内部突起によって、上記突出部の先端を、レセプタクルの内部床から所望の距離を保った状態に維持する、請求項１〜６のいずれか１つに記載のシステム。
【請求項８】
請求項１〜７のいずれか１つに記載のシステムに使用する流体ディスペンサであって、上記容器の開口端を封止する封止体を内側へ撓ませるように当該流体ディスペンサを用いることによって、流体を容器から分配するように構成されており、
当該流体ディスペンサは、
第１側および第２側を有する基部であって、上記封止体を内側に撓ませるために、流体レセプタクルと圧接するよう構成された基部と、
上記封止体に通路を設けるよう構成された突刺しシャフトと、
基部の第２側から延在し、外部直径および先端を有する突出部と、
当該突出部を貫通して延在する流路と、を有していて、
上記突出部は、その先端を、レセプタクルの内部床から所望の距離を保った状態に維持したままで、流体レセプタクルの開口内へ延在するよう構成されている、流体ディスペンサ。
【請求項９】
上記流体ディスペンサは、流体を試験管からカートリッジ式のレセプタクル内へ分配する、請求項１〜７のいずれか１つに記載のシステム、または請求項８記載の流体ディスペンサ。
【請求項１０】
分配すべき流体が、ディスペンサ先端から引き戻されるのを回避するための、請求項１〜７、９のいずれか１つに記載のシステム、あるいは請求項８または９記載の流体ディスペンサの使用。
【請求項１１】
流体を容器からダイレクトにレセプタクル内へ移動させる方法であって、
上記容器は、封止体によって閉じられていて内部に流体を収容しており、上記レセプタクルは開口および内部床を有しており、
当該方法は、
流体ディスペンサを提供する工程であって、当該流体ディスペンサは、第１側および第２側を有する基部を有し、そこから突出部が延在していて、当該突出部はディスペンサ先端を有している、工程と、
流体ディスペンサを、封止体を貫通させて容器内へ挿入する工程と、
流体ディスペンサ先端を、レセプタクルの上記開口内へ挿入する工程と、
レセプタクルおよび容器を相対的に動かせ、封止体を撓ませて、流体を容器からレセプタクルの中へダイレクトに分配する工程と、を含む方法。
【請求項１２】
上記突出部の先端を、レセプタクルの内部床から所望の距離を保った状態に維持する維持工程をさらに含む、請求項１１記載の方法。
【請求項１３】
上記維持工程において、流体ディスペンサの基部の第２側がレセプタクルに当接させられる、請求項１２記載の方法。
【請求項１４】
上記維持工程において、流体ディスペンサの一部、とりわけ流体ディスペンサの先端の一部が、レセプタクルの内部床から距離をおいた位置にて、レセプタクルの上記開口内に設けた当接部の一部、とりわけ内部突起またはテーパ状側壁に当接させられる、請求項１２記載の方法。
【請求項１５】
流体を容器からレセプタクルの中へダイレクトに分配することは、流体を液滴の形態で分配することを含む、請求項１１〜１４のいずれか１つに記載の方法。
【発明の詳細な説明】
【技術分野】
【０００１】
実施形態は、大略的には、流体容器の中身をダイレクトにレセプタクルの中へ分配するためのシステムおよび方法に関する。より詳しくは、試験管の中身をダイレクトにカートリッジ式のレセプタクル内に分配するためのシステムおよび方法に関する。
【背景技術】
【０００２】
試験管は、血液検体およびその他の液体、例えば生体液などを収集する容器としてよく使用される。血液を収集する場合、試験管内に抗凝血剤を入れ、血液検体を患者からダイレクトに試験管の中へ採取する。試験管は、ゴム栓で閉じられる。
【０００３】
通常、血液またはその他の流体は、分析のため試験管から取り出される必要がある。それゆえ、実験室の作業者は、様々な環境において、流体を試験管から所望の表面に都合良くかつ効率良く分配する仕事を日常的に行なう必要がある。しかしながら、例えば分配された流体が試験管の中へ引き戻される場合など、検査すべき流体を、汚染を回避しつつ分配する場合には、注意を払う必要がある。
例えば、流体を試験管から非常に急速に分配する場合においては、流体がこぼれないように、あるいは流体が空中に浮遊しないように注意を払う必要もある。そのようなことが起こると、実験室の作業者が流体にさらされ、また病気に感染することが起こり得る。
【０００４】
本発明より以前、流体を試験管からスライド上へダイレクトに移動させる器具が提供されていた。このタイプの器具は、試験管から栓を外す必要をなくし、それゆえ、試験管から栓を外す際にエアロゾル効果を生じさせる問題を回避した。それ以来、実験室の作業者は、血中の汚染物質または病気にさらされることはなくなった。
【０００５】
近年、生体液の検体の分析において、カートリッジ式のレセプタクルがよく使用されるようになってきた。代表的には、ピペットを使用して、流体が試験管からカートリッジの開口内に運ばれる。しかし、ピペットを使用すると、試験管から栓を外すことが必要となり、したがって再び、栓を外す際にエアロゾルが形成されることとなった。そうして、実験室の作業者は、生体液内に含まれる汚染物質や病気にさらされることとなった。
【発明の概要】
【課題を解決するための手段および発明の効果】
【０００６】
実施形態は、閉鎖物または栓を容器から外す必要なく、それゆえ、望ましくないエアロゾル効果の発生を回避し、流体を、容器からカートリッジ式のレセプタクル内へダイレクトに分配するためのシステムに関する。
【０００７】
流体ディスペンサは、容器の栓に孔を開ける。例えば栓を内側へ撓ませることなどによって、容器内の圧力の上昇を生じさせると、流体は、当該ディスペンサを通って容器を出る。
【０００８】
レセプタクル（好ましくは、カートリッジ式のレセプタクル）は、流体ディスペンサを受け入れる開口を有しており、流体は、ディスペンサを通って容器から出て、ダイレクトにレセプタクル内に流入する。
【図面の簡単な説明】
【０００９】
【図１】流体分配システムの側方部分断面図。流体ディスペンサは、試験管の封止体を貫通して挿入されている。試験管と流体ディスペンサを相対的に移動させると、封止体が撓んで試験管の内部を加圧し、その結果、試験管内の流体の一部が分配される。
【図２】カートリッジタイプのレセプタクルの斜視図。
【図３】流体ディスペンサと流体レセプタクルの孔との連結領域の第１実施形態を示す側方部分断面図。
【図４】流体ディスペンサと流体レセプタクルの孔との連結領域の第２実施形態を示す側方部分断面図。
【図５】流体ディスペンサと流体レセプタクルの孔との連結領域の第３実施形態を示す側方部分断面図。
【発明を実施するための形態】
【００１０】
ディスペンサとレセプタクルとの間の連結領域の種々の実施形態を説明する。図面は、一定の縮尺では描かれていないが、同じ参照番号は、対応する構成要素を示している。
【００１１】
ここで説明する実施形態は、流体を容器から分配するシステムおよび方法に関する。実施形態は、試験管から血液を分配するものに関連しているが、これは、単なる例示にすぎない。実際のところ、図示した実施態様を、他の容器および他の流体に関連させて用いることが可能である。実施形態を図３〜図５に示すが、それらは、図示された構造または用途に限定されない。
【００１２】
流体を容器から分配するシステムおよび方法を説明する前に、そのようなシステムおよび方法において使用可能な種々の構成要素を最初に説明する。図１を参照すると、流体ディスペンサは、対向する第１側１４および第２側１６を有する基部１２を含む。
１つの実施形態において、基部１２は、断面形状が略円形であってもよい。しかしながら、基部１２は、例えば矩形、三角形、楕円形または多角形など、適当ないずれかの構造を有することができる。
【００１３】
細長い突刺しシャフト２０は、基部１２の第１側１４から延在していてもよい。突刺しシャフト２０は、基部１２の第１側１４に対して、いずれかの適当な角度で延在することができる。
１つの実施形態において、突刺しシャフト２０は、基部１２の第１側１４に対して実質的に垂直である。突刺しシャフト２０は、基部１２の第１側１４で実質的に中央に位置する。
【００１４】
突刺しシャフト２０は、ステム部分２２を含んでいてもよく、当該ステム部分２２は、基部１２の第１側１４から真っ直ぐに延在していてもよい。ステム部分２２は、カニューレ部分２４に移行することができる。カニューレ部分２４の先端２５は、突き刺しが容易になるよう、先が尖っているか、あるいは面取りされていてもよい。
【００１５】
ステム部分２２とカニューレ部分２４との間の移行部分は、いずれかの適当な形状を有することができる。例えば、ステム部分２２とカニューレ部分２４との間の移行部分は、肩部２６を含むことができ、これによって、突刺しシャフト２０の容器への挿入長さが決まる。
１つの実施形態において、ステム部分２２およびカニューレ部分は、実質的に円形の断面をそれぞれ有することができ、そのステム部分２２の円形断面の直径は、カニューレ部分２４の実質的に円形の断面直径よりも大きく、そうすることで肩部２６が構成される。
【００１６】
カニューレ部分２４は、複数の鋸歯状部、歯状部、または返し部（図示せず）を含んでいてもよい。これらは、カニューレ部分２４が挿入されている部材、例えば試験管またはその他の容器の封止体などから、当該カニューレ部分２４が不用意に引き抜かれることに対する抵抗を与える。したがって、鋸歯状部は、流体ディスペンサ１０が容器に取り付けられた後における、流体ディスペンサ１０の移動を最小限に抑えることができる。
【００１７】
中空の突出部２８を、基部１２の第２側１６から延在するように形成してもよい。幾つかの実施例において、突出部２８は、基部１２の第２側から延在する唯一の構造体であってよい。突出部２８は、基部１２の第２側１６に対していずれかの適当な角度で延在することができる。
１つの実施形態において、突出部２８は、基部１２の第２側１６に対して実質的に垂直であることができる。突出部２８は、基部１２の第２側１６で実質的に中央に位置付けられることができる。突出部２８の中空内部は、突刺しシャフト２０の中空内部と実質的に一直線上にあってもよい。突出部２８は、先端３０にて終結することができる。突出部２８は、基部１２の第２側１６と先端３０との間の距離として規定される関連長さＬｐを有することができる。
【００１８】
突出部２８は、いずれかの適当な構造を有することができる。１つの実施形態においては、突出部２８は、断面が実質的に円形であることができる。他の実施形態において、突出部２８は、矩形、三角形、楕円形または多角形であることができる。
突出部２８は、その形状に応じて、１つまたはそれより多くの側壁３２を含むことができる。例えば、突出部２８が実質的に円形である場合、突出部２８は、ただ１つの連続的な側壁３２を有することができる。突出部２８が多角形の場合、突出部２８は、複数の側壁３２を有することができる。１つまたはそれより多くの側壁３２は、実質的に真っ直ぐであることができる。別例として、１つまたはそれより多くの側壁３２は、先細っていることができる。
【００１９】
流路３４は、突出部２８からカニューレ部分２４へと、流体ディスペンサ１０内を通って延在する。流路３４は、カニューレ部分２４において、例えばカニューレ先端２５などにて、入口開口３６を有する。流路３４は、突出部２８において、例えば突出先端３０などにて、出口開口３８を有する。流路３４は、入口開口３６から出口開口３８まで延在する。
【００２０】
流路３４は、いずれかの適当なサイズおよび形状を有することができる。流路３４の断面のサイズおよび形状は、その長さに沿って実質的に不変であってもよく、あるいは流路３４の断面のサイズおよび形状の少なくとも一方は、流路３４の少なくとも一部に沿って変化してもよい。
１つの実施形態において、流路３４は、断面形状が実質的に円形である。流路３４は、実質的に真っ直ぐであってもよい。別の実施形態において、流路３４は、１つまたはそれより多くの屈曲部、折り返し部、湾曲部および／または角部を含んでいてもよい。
【００２１】
流体ディスペンサ１０は、単一の構造体であることができる。即ち、流体ディスペンサ１０のすべての部分を、例えばプラスチック射出成形などによって、ただ１つの構造体として形成することができる。
別の実施形態において、流体ディスペンサ１０の少なくとも一部を別個に、および／または異なる材料で、作ることができる。例えば、カニューレ部分２４を金属で作ることができ、かつ流体ディスペンサ１０の残りの部分をプラスチックで作ることができる。そのような場合、ステム部分２２を、金属カニューレ部分２４の周囲に成形するか、あるいは金属カニューレ部分２４を、ステム部分２２内の通路に差し込むことができる。流体ディスペンサ１０の少なくとも一部は、例えば透明なプラスチック材料を用いることなどによって、透明とすることができ、それによって、使用時における良好な視野を与える。
【００２２】
本明細書におけるシステムおよび方法の実施形態は、容器４０を含んでいてもよい。容器４０は、開口４２を有する。容器４０は、その内部に、関連する容積の内側チャンバ４４を有する。
１つの実施形態において、容器４０は、試験管であってもよく、その第１端部４８に開口４２が設けられている。試験管の第２端部５０は、閉じられている。便宜上、以下の説明は試験管に関連してなされるが、いずれかの適当な容器を用いることができ、実施形態は試験管に限定されないことが理解されるべきである。
【００２３】
封止体５２によって、試験管の開口第１端部４８を閉鎖でき。封止体５２として、いずれかの適当な構造体を用いることができる。封止体５２は、開口４２をシールする。封止体５２は、ゴム栓またはその他の構造体であってもよく、それらは、再利用できる、再封止できる、再度突き刺すことができる、可撓性を有するおよび／または弾性を有するものである。
封止体５２は、試験管の開口４２の内側に圧力嵌めされることができ、かつ少なくとも摩擦によって適所に保持されることができる。
【００２４】
試験管の内側チャンバ４４は、流体６０を収容できる。流体６０は、いずれの種類の流体であってもよい。
１つの実施形態において、流体６０は、血液または別の生体液であってもよい。流体６０の頂部と試験管の端部５０の内部端部との間に、空域６４があってもよい。幾つかの実施例においては、流体６０の頂部と試験管の端部５０の内側との間に、空域６４はほとんどなくても、全くなくてもよい。
【００２５】
図２は、大まかに言うと、その後の評価のために流体が入れられるカートリッジ式のレセプタクル７０を図示している。単に便宜上のためカートリッジとして説明されるレセプタクルは、全体的に薄く、平坦で、矩形の部材であって、開口７２および内部通路８０を有する。
開口または孔７２は、内部通路８０と流体連絡するように、レセプタクル内の第１深さまで延在する。第１深さは、レセプタクルの頂部からレセプタクルの内部床７４まで延在すると考えてもよい。レセプタクル７０の頂部からレセプタクルの内部床７４までの距離は、孔の深さ７４と考えることができ、Ｌｄで示される。カートリッジの頂部表面における孔７２の直径は、以下に十分説明するように、突出部２８の直径の少なくとも一部を受け入れるのに十分な寸法を有する。
【００２６】
レセプタクルに形成される孔７２は、いずれかの適当な断面形状を有することができ、それらは、孔の内壁７８のサイズおよび形状によって決まる。したがって、図３に示すように、孔７２の断面直径は、実質的に一定であってもよい。別の実施形態において、孔７２の断面サイズは変化するものであってもよい。例えば、図４に示すように、孔７２の断面直径は、床７４に向って下方向に減少するように、円錐形あるいは面取りされていてもよい。図５に示すように、１つまたはそれより多くの突起７６が壁７８から出ていてもよい。幾つかの実施形態において、流体レセプタクル７０は、２以上の孔７２を有していてもよい。
【００２７】
流体レセプタクル７０は、流体を受け入れる長尺溝８０を備えていてもよい。この溝８０は、孔７２と直接的または間接的に流体連絡している。幾つかの例において、孔７２に関連する２以上の溝８０が存在してもよい。溝８０の少なくとも一部は、流体レセプタクル７０の内部に延在する。
【００２８】
溝８０は、いずれかの適当なサイズまたは形状を有することができる。１つの実施形態において、溝８０の断面積は、その長さに沿って実質的に一定であってもよい。別の実施形態において、溝８０の断面積は、その長さの少なくとも一部に沿って変化していてもよい。溝８０は、実質的に真っ直ぐであってもよい。別の実施形態においては、溝８０は、１つまたはそれより多くの屈曲部、折り返し部、湾曲部および／または角部を含んでいてもよい。
【００２９】
流体レセプタクル７０は、血液／生体液分析装置に関連させて使用する検査カートリッジであってもよい。例えば、１つの実施形態において、流体レセプタクルは、イリノイ州アボットパークのアボットラボラトリーズから入手できるi-STAT 1 携帯式分析装置のための検査カートリッジであってもよい。
流体レセプタクル７０は、流体の分析を行なうために、あるいは、血液／生体液分析装置との作動連絡のために、センサ、電気部品および電気回路を含んでいてもよい。流体レセプタクル７０は、例えば血液／生体液分析装置のような別の装置に対して、機能的な接続あるいは通信のためのインターフェースを提供するものであってもよい。
限定されない図示の実施形態において、レセプタクル７０は、略矩形形状であり、矩形基部８２および略矩形上側部材８４を含む。溝８０は、上側部材８４において部分的に延在し、その後、基部８２の中へと下方に延在してよい。別の実施形態では、溝８０は、上側部材８４においてのみ、または基部８２内においてのみ存在してもよい。
【００３０】
システムおよび方法における各構成要素を以上に説明したので、次に、これら種々の構成要素の相互作用および働きの一例を説明する。
【００３１】
分配すべき液体６０を、通常の技術によって容器４０の内側チャンバ４４内に集め、封止体５２で封止する。次に、流体ディスペンサ１０を、封止体５２を貫通して挿入する。具体的には、突刺しシャフト２０の肩部２６が封止体５２と当接するまで、突刺しシャフト２０を、封止体５２を通して挿入する。突刺しシャフト２０を封止体５２に挿入する間、基部１２を握り、または保持する。ステム部分２２は、カニューレ部分２４を構造的に支持して、突刺しシャフト２０を封止体５２に挿入する間、カニューレ部分２４が不用意に破壊されることを防ぐ。
カニューレ部分２４の少なくとも一部が内側チャンバ４４の中へ延在し、それにより、試験管の内側チャンバ４４と試験管の外部との間の流体連絡を確立することができる。試験管を（ディスペンサ１０が取り付けられた状態で）反転させて、図１に概略的に示した姿勢とする。
【００３２】
栓または封止体５２を容器４０の端部５０に向かって内側に撓ませると、流体は流体ディスペンサ１０の内部を通り、ディスペンサ先端３０を通って外へ流れる。流体ディスペンサ１０と流体レセプタクル７０とを連結すると、流体は、ディスペンサ先端３０を通って、ダイレクトにレセプタクル７０の孔７２の中へ流れ出る。十分な量の流体（または所望の量の流体）がレセプタクル内に分配された後、例えばディスペンサ先端３０を孔７２から外すことなどによって、容器とレセプタクルとを分離させることができる。
【００３３】
しかしながら、ディスペンサ先端３０が孔７２内にある状態で封止体５２に作用する圧力を解除する場合には、真空効果または毛細管現象を回避するように注意を払う必要がある。真空効果または毛細管現象が生じると、レセプタクル内の流体がディスペンサ先端３０を通って引き戻され、それ故に、レセプタクル内での分析に使用できなくなる。
同様に、ディスペンサ先端３０を、レセプタクルから意図的に引き抜く場合にも、真空効果または毛細管現象を避けるように注意を払う必要がある。真空効果または毛細管現象が生じると、レセプタクル内の流体がディスペンサ先端３０を通って引き戻され、それ故に、レセプタクル内での分析に使用できなくなる。
【００３４】
毛細管現象または真空効果を回避する幾つかの技術を説明する。そのような実施形態の１つにおいて、図３に図式的に示したように、孔７２の深さＬｄは、突出部の長さＬｐよりも大きい。したがって、突出部を孔７２の中に挿入すると、基部１２の第２側１６は、レセプタクル７０の頂部と接触する。この接触により、ディスペンサ突出部がレセプタクルの床７４と接触するのを防ぎ、このようにして、真空効果および／または毛細管現象を、完全に排除するわけではないにしても、減少させる。
【００３５】
第２の実施形態は、図４に図示されており、側壁７８は先細りのテーパ状とされ、突出部２８の側壁３２の直径部分が床７４よりも上方の箇所にて側壁７８と係合する。したがって、ディスペンサ突出部２８がレセプタクルの床７４と接触するのを物理的に防ぎ、このようにして、真空効果および／または毛細管現象を、完全に排除するわけではないにしても、減少させる。
【００３６】
図５では、孔７２の内部には突起７６が形成されていて、突出部２８の孔７２への挿入の程度を制限する。この突起７６は、レセプタクルの製造または成形の間に形成される。
【００３７】
３つの実施形態のすべてにおいて、突出部の先端３０は、孔７２の底部において、内部床７４から間隔をあけて配置される。すなわち、種々の手段を設けて、突出部の先端３０を、レセプタクルの床７４から所望の距離だけ間隔をおいた状態に維持する。
【００３８】
突出部２８が孔７２内に挿入された後、試験管を流体ディスペンサ１０に向かって動かしてもよく、あるいは、流体ディスペンサ１０が試験管に向って動かされてもよい。これにより、図１に示したように、肩部２６は、試験管に対して相対的に内側へと封止体５２を撓ませる。その結果、試験管の内部容積は減少し、試験管の内圧を上昇させ、その圧力増加は、対応する小さな体積（例えば液滴６１など）の流体６０を、最終的に試験管から汲み出し、または分配する。
流体６０の液滴６１は、入口開口３６を通って流路３４に入り、流路３４を通って流れ、出口開口３８を通って出る。こうして流体は、孔７２の中へ分配されることができる。この工程は、必要なだけ繰り返され、所望の量の流体を試験管からダイレクトにカートリッジ孔７２の中へ分配することができる。
【００３９】
図１および図２に示した製品は、それぞれ、概念的に先行技術の一部である。ここで「概念的に」という用語は、特に、次のことを意味している。（１）ＬｐがＬｄよりも小さいという相対比は、先行技術の一部でない。（２）先端３０が挿入され得る深さを制限することを目的として、円錐形または面取りされた内部側壁を使用することは、先行技術の一部ではない。（３）先端３０が挿入され得る深さを制限することを目的として、内部突起を使用することは、先行技術の一部ではない。
つまり、先行技術では、容器からカートリッジへのダイレクトな移動、またはダイレクトな分配は、提供されていなかった。
【００４０】
本明細書で説明したシステムおよび方法によれば、流体を、試験管から流体レセプタクル内へ便利かつ効率的に分配することが容易になる。本明細書のシステムおよび方法は、検査されるべき流体の汚染を避けるのにも役立つ。カートリッジ内の底部７４と流体ディスペンサの先端３０との間に間隔をおくことで、例えば毛細管現象などによって、孔７２内に分配された流体が不用意に試験管内に引き戻される可能性を最小限に抑える、または排除することができる。
【００４１】
以上の説明は、流体を分配するシステムおよび方法について、１つの可能な用途として説明されている。以上の説明は、試験管との関連においてなされているが、本明細書において説明されるシステムおよび方法は、他との関連において用いることもできる。したがって、実施形態は、本明細書で記載された特定の細部に限定されず、単なる一例として提供されており、以下の特許請求の範囲内において、種々の改良および変更が当然に可能である。
【図１】
2013011577.tif 000003
【図２】
2013011577.tif 000004
【図３】
2013011577.tif 000005
【図４】
2013011577.tif 000006
【図５】
2013011577.tif 000007
【外国語明細書】
2013011577.tif 000008
2013011577.tif 000009
2013011577.tif 000010
2013011577.tif 000011
2013011577.tif 000012
2013011577.tif 000013
2013011577.tif 000014
2013011577.tif 000015
2013011577.tif 000016
2013011577.tif 000017
2013011577.tif 000018
2013011577.tif 000019
2013011577.tif 000020
2013011577.tif 000021
2013011577.tif 000022
2013011577.tif 000023
2013011577.tif 000024